(57)【要約】      （修正有）【課題】ファントムセル内で複数の移動局に対して同一のＣ-ＲＮＴＩを割り当てた場合であっても、シンプルな実装で、同一のＣ-ＲＮＴＩが割り当てられた移動局同士の衝突を回避する。【解決手段】移動局ＵＥ＃Ａは、無線基地局ＰｈＮＢ＃１を介することなく、他の移動局ＵＥに設定されているＣ-ＲＮＴＩを取得するように構成されている受信部と、無線基地局ＰｈＮＢ＃１に対して、自身に設定されているＣ-ＲＮＴＩ＃Ｘと同一のＣ-ＲＮＴＩ＃Ｘが設定されている移動局ＵＥ（例えば、移動局＃Ｂ）が存在する場合、所定報告を行うように構成されている送信部とを具備する。【選択図】図１
2014103634.tif 000002
【特許請求の範囲】
【請求項１】
移動局であって、
無線基地局を介することなく、他の移動局に設定されているセル固有識別子を取得するように構成されている受信部と、
前記無線基地局に対して、自身に設定されているセル固有識別子と同一のセル固有識別子が設定されている前記他の移動局が存在する場合、所定報告を行うように構成されている送信部とを具備することを特徴とする移動局。
【請求項２】
前記送信部は、自身に設定されているセル固有識別子と同一のセル固有識別子が設定されている前記他の移動局のうち、所定閾値以上の受信レベルを有する移動局が存在する場合に、前記所定報告を行うように構成されていることを特徴とする請求項１に記載の移動局。
【請求項３】
前記送信部は、前記無線基地局によって指定されているセル固有識別子についてのみ、前記所定報告の対象とするように構成されていることを特徴とする請求項１に記載の移動局。
【請求項４】
前記送信部は、前記無線基地局に対して、設定可能なセル固有識別子の数を送信するように構成されていることを特徴とする請求項１乃至３のいずれか一項に記載の移動局。
【請求項５】
前記移動局と前記無線基地局との間で設定されているセル固有識別子が異なることが検出された場合、前記送信部は、再接続手順を起動するように構成されていることを特徴とする請求項１乃至４のいずれか一項に記載の移動局。
【請求項６】
複数のスモールセルを連結して形成されたファントムセルを管理するように構成されている無線基地局であって、
前記ファントムセル内の移動局から、該移動局に設定されているセル固有識別子と同一のセル固有識別子が設定されている他の移動局が存在する旨を示す所定報告を取得するように構成されている受信部と、
前記所定報告に応じて、前記移動局に設定されている複数のセル固有識別子の１つを通知するように構成されている送信部とを具備することを特徴とする無線基地局。
【請求項７】
前記移動局と前記無線基地局との間で設定されているセル固有識別子が異なることが検出された場合、前記送信部は、該移動局に対して、該移動局において設定されているセル固有識別子を解放し再設定するように指示することを特徴とする請求項６に記載の無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式において、図９に示すように、無線基地局ｅＮＢ＃Ａ/ｅＮＢ＃Ｂは、配下のセル＃Ａ/＃Ｂにおいて通信を行う移動局ＵＥに対して、Ｃ-ＲＮＴＩ（Ｃｅｌｌ-  Ｒａｄｉｏ  Ｎｅｔｏｗｏｒｋ  Ｔｅｍｐｏｒａｒｙ  Ｉｄｅｎｔｉｔｙ）を割り当てて、データの送受信を行うように構成されている（特許文献１参照）。
【０００３】
Ｃ-ＲＮＴＩは、セルごとに割り当てられるように構成されており、ＬＴＥ方式では、図９に示すように、同一のセル＃Ａにおいて通信を行う移動局ＵＥ＃１及び移動局ＵＥ＃２に対して、同一のＣ-ＲＮＴＩを割り当てることができず、異なるセル＃Ａ/＃Ｂにおいて通信を行う移動局ＵＥ＃１（又は、移動局ＵＥ＃２）及び移動局ＵＥ＃３に対して、同一のＣ-ＲＮＴＩを割り当てることができる。
【０００４】
なお、Ｃ-ＲＮＴＩは、「Ｃｏｎｔｅｎｔｉｏｎ  ｂａｓｅｄ  ＲＡ（Ｒａｎｄｏｍ  Ａｃｃｅｓｓ）手順」やハンドオーバ手順において割り当てられるように構成されている。
【０００５】
また、無線基地局ｅＮＢは、移動局ＵＥに割り当てられたＣ-ＲＮＴＩを用いて、下りリンクデータの送信や上りリンクデータの送信用リソースの割り当てを行うように構成されている。
【０００６】
また、３ＧＰＰの「Ｒｅｌ-１２ワークショップ」において、ＦＲＡ（Ｆｕｔｕｒｅ  Ｒａｄｉｏ  Ａｃｃｅｓｓ）のトピックとして、「Ｓｍａｌｌ  ｃｅｌｌ  ｅｎｈａｎｃｅｍｅｎｔ」に関する提案が多く寄せられた。
【０００７】
かかる提案の中で、「ファントムセル（Ｐｈａｎｔｏｍ  ｃｅｌｌ）」に係るコンセプトが検討されている。
【０００８】
図１０に示すように、従来のマクロセル（Ｍａｃｒｏ  ｃｅｌｌ）とは異なり、ファントムセルは、多数の「スモールセル（Ｓｍａｌｌ  ｃｅｌｌ）」を連結することで、１つの大きなセルを形成し、広いエリアをカバーすることができる。
【先行技術文献】
【非特許文献】
【０００９】
【非特許文献１】３ＧＰＰ  ＴＳ３６.３００
【発明の概要】
【発明が解決しようとする課題】
【００１０】
しかしながら、図１１に示すように、各セル（マクロセル及びファントムセル）では、６５５３５個のＣ-ＲＮＴＩを管理しており、各移動局ＵＥに対して１個のＣ-ＲＮＴＩを割り当てる必要がある。
【００１１】
ここで、ファントムセルのカバレッジエリアが広くなると、ファントムセル内で通信を行う移動局ＵＥの数が増えるため、ファントムセル内で移動局ＵＥに割り当てるＣ-ＲＮＴＩが枯渇するケースが生じ得るという問題点が想定される。
【００１２】
かかる問題点を解決するために、図１１に示すように、マクロセルでは、各移動局ＵＥに対して、１個のＣ-ＲＮＴＩを割り当てる一方、ファントムセルでは、複数の移動局ＵＥに対して、１個のＣ-ＲＮＴＩを割り当てる（すなわち、１個のＣ-ＲＮＴＩを複数の移動局ＵＥで共有する）という運用が行われることが想定される。
【００１３】
しかしながら、かかる運用を行った場合、図１２に示すように、同じセル内で同一のＣ-ＲＮＴＩが割り当てられた移動局ＵＥ同士の衝突が発生する可能性があるという問題点があった。ここで、かかる衝突が発生すると、無線基地局ｅＮＢによって意図されていない移動局ＵＥが、正しい移動局ＵＥに対する割り当て情報を誤って受信してしまう可能性がある。
【００１４】
かかる問題点を解決するために、同一のＣ-ＲＮＴＩが割り当てられている移動局ＵＥ間の距離を十分に維持するという方法が想定される。
【００１５】
ここで、かかる方法を行う場合、無線基地局ＰｈＮＢが、同一のＣ-ＲＮＴＩが割り当てられている移動局ＵＥ間の距離をリアルタイムに把握する必要がある。
【００１６】
例えば、無線基地局ＰｈＮＢは、移動局ＵＥからのチャネル品質情報（ＣＳＩ：Ｃｈａｎｎｅｌ  Ｓｔａｔｕｓ  Ｉｎｄｉｃａｔｏｒ/ＳＲＳ：Ｓｏｕｎｄｉｎｇ  Ｒｅｆｅｒｅｎｃｅ  Ｓｉｇｎａｌ）を受信することで、移動局ＵＥの大凡の位置を把握することができる。
【００１７】
しかしながら、無線基地局ＰｈＮＢは、移動局ＵＥに対して、チャネル品質情報用のリソース（個別リソース）を設定していない場合には、移動局ＵＥの位置を把握することができないという問題点があった。
【００１８】
また、無線基地局ＰｈＮＢが、同一のＣ-ＲＮＴＩが割り当てられている移動局ＵＥ間の距離をリアルタイムに把握すると、無線基地局ＰｈＮＢの実装が複雑になるという問題点があった。
【００１９】
そこで、本発明は、上述の課題に鑑みてなされたものであり、ファントムセル内で複数の移動局に対して同一のＣ-ＲＮＴＩを割り当てた場合であっても、シンプルな実装で、同一のＣ-ＲＮＴＩが割り当てられた移動局同士の衝突を回避することができる移動局及び無線基地局を提供することを目的とする。
【課題を解決するための手段】
【００２０】
本発明の第１の特徴は、移動局であって、無線基地局を介することなく、他の移動局に設定されているセル固有識別子を取得するように構成されている受信部と、前記無線基地局に対して、自身に設定されているセル固有識別子と同一のセル固有識別子が設定されている前記他の移動局が存在する場合、所定報告を行うように構成されている送信部とを具備することを要旨とする。
【００２１】
本発明の第２の特徴は、複数のスモールセルを連結して形成されたファントムセルを管理するように構成されている無線基地局であって、前記ファントムセル内の移動局から、該移動局に設定されているセル固有識別子と同一のセル固有識別子が設定されている他の移動局が存在する旨を示す所定報告を取得するように構成されている受信部と、前記所定報告に応じて、前記移動局に設定されている複数のセル固有識別子の１つを通知するように構成されている送信部とを具備することを要旨とする。
【発明の効果】
【００２２】
以上説明したように、本発明によれば、ファントムセル内で複数の移動局に対して同一のＣ-ＲＮＴＩを割り当てた場合であっても、シンプルな実装で、同一のＣ-ＲＮＴＩが割り当てられた移動局同士の衝突を回避することができる移動局及び無線基地局を提供することができる。
【図面の簡単な説明】
【００２３】
【図１】本発明の第１の実施形態に係る移動通信システムの全体構成図である。
【図２】本発明の第１の実施形態に係る移動局の機能ブロック図である。
【図３】本発明の第１の実施形態に係る移動局による報告方法の一例を示す図である。
【図４】本発明の第１の実施形態に係る移動局による報告方法の一例を示す図である。
【図５】本発明の第１の実施形態に係る無線基地局の機能ブロック図である。
【図６】本発明の第１の実施形態に係る移動通信システムの動作を示すシーケンス図である。
【図７】本発明の変更例１に係る移動通信システムの全体構成図である。
【図８】本発明の変更例１に係る移動通信システムの動作を示すシーケンス図である。
【図９】従来技術を説明するための図である。
【図１０】従来技術を説明するための図である。
【図１１】従来技術を説明するための図である。
【図１２】従来技術を説明するための図である。
【発明を実施するための形態】
【００２４】
（本発明の第１の実施形態に係る移動通信システム）
図１乃至図６を参照して、本発明の第１の実施形態に係る移動通信システムについて説明する。
【００２５】
図１（ａ）及び図１（ｂ）に示すように、本実施形態に係る移動通信システムは、ＬＴＥ方式の移動通信システムであって、セル＃１を管理する無線基地局ＰｈＮＢ＃１を具備している。ここで、セル＃１は、複数のスモールセルを連結して形成されたファントムセルである。
【００２６】
また、本実施形態では、無線基地局ＰｈＮＢ＃１は、セル＃１内で、移動局ＵＥ＃Ａ及び移動局ＵＥ＃Ｂに対して、同一のＣ-ＲＮＴＩ＃Ｘを割り当てているものとする。
【００２７】
ここで、移動局ＵＥ＃Ａの構成及び移動局ＵＥ＃Ｂの構成は、基本的に同一であるため、以下、代表して、移動局ＵＥ＃Ａの構成について説明する。図２に示すように、本実施形態に係る移動局ＵＥ＃Ａは、受信部１１と、判定部１２と、送信部１３とを具備している。
【００２８】
受信部１１は、無線基地局ＰｈＮＢ＃１や他の移動局ＵＥ（例えば、移動局ＵＥ＃Ｂ）から各種信号を受信するように構成されている。
【００２９】
例えば、受信部１１は、無線基地局ＰｈＮＢ＃１を介することなく、すなわち、移動局間通信によって、他の移動局ＵＥに設定されているＣ-ＲＮＴＩを取得するように構成されている。
【００３０】
ここで、受信部１１は、移動局間通信で用いられる移動局ＵＥ用の個別リソースを介して、かかるＣ-ＲＮＴＩを取得するように構成されていてもよいし、移動局間通信で用いられる共通リソースを介して、かかるＣ-ＲＮＴＩを取得するように構成されていてもよい。
【００３１】
また、受信部１１は、他の移動局ＵＥから、移動局ＵＥに設定されているＣ-ＲＮＴＩを報告するように指示するＰｏｌｌｉｎｇを受信するように構成されていてもよい。
【００３２】
判定部１２は、移動局ＵＥ＃Ａに設定されているＣ-ＲＮＴＩ＃Ｘと他の移動局ＵＥに設定されているＣ-ＲＮＴＩとが衝突するか否かについて、すなわち、移動局ＵＥ＃Ａに設定されているＣ-ＲＮＴＩ＃Ｘと同一のＣ-ＲＮＴＩ＃Ｘが設定されている移動局ＵＥが近くに存在するか否かについて判定するように構成されている。
【００３３】
例えば、判定部１２は、他の移動局ＵＥからの信号の受信レベル（例えば、ＳＩＲ：Ｓｉｇｎａｌ  ｔｏ  Ｉｎｔｅｒｆｅｒｅｎｃｅ  Ｒａｔｉｏ/パスロス）、及び、かかる信号に含まれているＣ-ＲＮＴＩに基づいて、上述の判定を行うように構成されていてもよい。
【００３４】
具体的には、送信部１３は、移動局ＵＥ＃Ａに設定されているＣ-ＲＮＴＩ＃Ｘと同一のＣ-ＲＮＴＩ＃Ｘが設定されている他の移動局ＵＥのうち、所定閾値以上の受信レベルを有する移動局ＵＥ（例えば、移動局＃Ｂ）が存在する場合に、移動局ＵＥ＃Ａに設定されているＣ-ＲＮＴＩ＃Ｘと他の移動局ＵＥに設定されているＣ-ＲＮＴＩとが衝突する、すなわち、移動局ＵＥ＃Ａに設定されているＣ-ＲＮＴＩ＃Ｘと同一のＣ-ＲＮＴＩ＃Ｘが設定されている移動局ＵＥが近くに存在すると判定するように構成されていてもよい。
【００３５】
送信部１３は、無線基地局ＰｈＮＢ＃１や他の移動局ＵＥ（例えば、移動局ＵＥ＃Ｂ）に対して各種信号を送信するように構成されている。
【００３６】
また、送信部１３は、衝突確認トリガを検出した場合に、他の移動局ＵＥに対して、設定されているＣ-ＲＮＴＩを報告するように指示するＰｏｌｌｉｎｇを送信するように構成されていてもよい。
【００３７】
なお、送信部１３は、定期的に、かかるＰｏｌｌｉｎｇを送信するように構成されていてもよいし、他の移動局ＵＥや無線基地局ＰｈＮＢからの指示に応じて、かかるＰｏｌｌｉｎｇを送信するように構成されていてもよいし、通信を行うことが必要になった場合に、かかるＰｏｌｌｉｎｇを送信するように構成されていてもよい。
【００３８】
例えば、判定部１２が、移動局ＵＥ＃Ａに設定されているＣ-ＲＮＴＩ＃Ｘと他の移動局ＵＥに設定されているＣ-ＲＮＴＩとが衝突すると判定した場合、すなわち、移動局ＵＥ＃Ａに設定されているＣ-ＲＮＴＩ＃Ｘと同一のＣ-ＲＮＴＩ＃Ｘが設定されている移動局ＵＥが近くに存在すると判定した場合、送信部１３は、無線基地局ＰｈＮＢ＃１に対して、移動局ＵＥ＃Ａに設定されているＣ-ＲＮＴＩ＃Ｘと同一のＣ-ＲＮＴＩ＃Ｘが設定されている移動局ＵＥ（例えば、移動局＃Ｂ）が存在する旨を示す所定報告を行うように構成されている（図１（ｂ）参照）。
【００３９】
かかる所定報告は、移動局ＵＥ＃Ａに設定されているＣ-ＲＮＴＩ＃Ｘが他の移動局ＵＥに設定されているＣ-ＲＮＴＩに衝突すること、すなわち、移動局ＵＥ＃Ａに設定されているＣ-ＲＮＴＩ＃Ｘと同一のＣ-ＲＮＴＩ＃Ｘが設定されている移動局ＵＥが近くに存在することを報告するものである。
【００４０】
例えば、送信部１２は、所定ビットを用いて、かかる所定報告を行うように構成されていてもよい。
【００４１】
また、送信部１３は、所定報告として、図３に示すように、受信部１１によって取得された信号の受信レベル及び当該信号に含まれる他の移動局ＵＥのＣ-ＲＮＴＩについて全て報告するように構成されていてもよい。
【００４２】
ここで、送信部１３は、かかる信号の測定時刻について併せて報告するように構成されていてもよい。
【００４３】
また、送信部１３は、移動局ＵＥ＃Ａに設定されているＣ-ＲＮＴＩ＃Ｘと同一のＣ-ＲＮＴＩ＃Ｘが設定されている他の移動局ＵＥのうち、所定閾値以上の受信レベルを有する移動局ＵＥ（例えば、移動局＃Ｂ）に設定されているＣ-ＲＮＴＩや、上述の受信レベルについて報告するように構成されていてもよい。
【００４４】
また、送信部１３は、無線基地局ＰｈＮＢ＃１によって指定されているＣ-ＲＮＴＩについてのみ、上述の所定報告の対象とするように構成されていてもよい。
【００４５】
例えば、かかる場合、送信部１３は、所定報告として、図４に示すように、無線基地局ＰｈＮＢ＃１によって指定されたＣ-ＲＮＴＩについて、移動局ＵＥ＃Ａに設定されているＣ-ＲＮＴＩ＃Ｘと衝突するか否かについて、すなわち、移動局ＵＥ＃Ａに設定されているＣ-ＲＮＴＩ＃Ｘと同一であるか否かについて報告するように構成されている。
【００４６】
また、送信部１３は、無線基地局ＰｈＮＢ＃１に対して、設定可能なＣ-ＲＮＴＩの数を送信するように構成されていてもよい。
【００４７】
さらに、移動局ＵＥ＃Ａと無線基地局ＰｈＮＢ＃１との間で設定されているＣ-ＲＮＴＩが異なることが検出された場合（例えば、一定期間、無線基地局ＰｈＮＢ＃１からの応答がない場合）、送信部１３は、再接続手順を起動するように構成されていてもよい。
【００４８】
図５に示すように、無線基地局ＰｈＮＢ＃１は、受信部２１と、設定部２２と、送信部２３とを具備している。
【００４９】
受信部２１は、移動局ＵＥ＃Ａ/ＵＥ＃Ｂから各種信号を受信するように構成されている。
【００５０】
例えば、受信部２１は、移動局ＵＥ＃Ａ/ＵＥ＃Ｂから、上述の所定報告や設定可能なＣ-ＲＮＴＩの数を受信するように構成されている。
【００５１】
設定部２２は、セル＃１内の移動局ＵＥ＃Ａ/ＵＥ＃Ｂに対して、Ｃ-ＲＮＴＩを設定する（割り当てる）ように構成されている。
【００５２】
例えば、設定部２２は、上述の所定報告や設定可能なＣ-ＲＮＴＩの数に応じて、かかる設定を行うように構成されている。
【００５３】
ここで、設定部２２は、セル＃１内の移動局ＵＥ＃Ａ/ＵＥ＃Ｂの各々に対して、複数のＣ-ＲＮＴＩを設定することができるように構成されていてもよい。
【００５４】
送信部２３は、移動局ＵＥ＃Ａ/ＵＥ＃Ｂに対して各種信号を送信するように構成されている。
【００５５】
例えば、送信部２３は、セル＃１内の移動局ＵＥ＃Ａ/ＵＥ＃Ｂの各々に対して、設定部２２によって設定されたＣ-ＲＮＴＩ＃Ｘを通知するように構成されている。
【００５６】
また、送信部２３は、受信部２１によって移動局ＵＥ＃Ａ（又は、移動局ＵＥ＃Ｂ）からの所定報告が受信されたことを契機に、移動局ＵＥ＃Ａ（又は、移動局ＵＥ＃Ｂ）に対するスケジューリングを開始するように構成されていてもよい。
【００５７】
なお、移動局ＵＥ＃Ａと無線基地局ＰｈＮＢ＃１との間で設定されているＣ-ＲＮＴＩが異なることが検出された場合（例えば、一定期間、移動局ＵＥ＃Ａからの応答がない場合）、送信部２３は、移動局ＵＥ＃Ａに対して、移動局ＵＥ＃Ａにおいて設定されているＣ-ＲＮＴＩ＃Ｘ/＃Ｙを解放し再設定するように指示してもよい。
【００５８】
以下、図６を参照して、本実施形態に係る移動通信システムの動作について説明する。
【００５９】
図６に示すように、移動局ＵＥ＃Ａは、ステップＳ１００１において、衝突確認トリガを検出すると、ステップＳ１００２において、移動局ＵＥ＃Ｂに対して、上述のＰｏｌｌｉｎｇを送信する。かかるＰｏｌｌｉｎｇには、移動局ＵＥに設定されているＣ-ＲＮＴＩ＃Ｘが含まれている。
【００６０】
ステップＳ１００３において、移動局ＵＥ＃Ｂは、かかるＰｏｌｌｉｎｇに応じて、移動局ＵＥ＃Ａに対して、移動局ＵＥ＃Ｂに設定されているＣ-ＲＮＴＩを送信する。
【００６１】
移動局ＵＥ＃Ａは、移動局ＵＥ＃Ｂに設定されているＣ-ＲＮＴＩを取得した場合、ステップＳ１００４において、移動局ＵＥ＃Ｂに対して、ＡＣＫを送信してもよい。
【００６２】
移動局ＵＥ＃Ａは、所定期間、他の移動局ＵＥからの応答を監視し、移動局ＵＥ＃Ａに設定されているＣ-ＲＮＴＩ＃Ｘと衝突する移動局ＵＥが存在する場合、ステップＳ１００５において、無線基地局ＰｈＮＢ＃１に対して、上述の所定報告を行う。
【００６３】
或いは、移動局ＵＥ＃Ａは、所定期間、他の移動局ＵＥからの応答を監視し、移動局ＵＥ＃Ａに設定されているＣ-ＲＮＴＩ＃Ｘと衝突する移動局ＵＥが存在しない場合、ステップＳ１００５において、無線基地局ＰｈＮＢ＃１に対して、その旨を示す所定報告を行ってもよい。
【００６４】
（変更例１）
以下、図７及び図８を参照して、本発明の変更例１に係る移動通信システムについて、上述の第１の実施形態に係る移動通信システムとの相違点に着目して説明する。
【００６５】
図７（ａ）に示すように、本変更例１に係る移動通信システムでは、移動局ＵＥ＃Ａにおいて、Ｃ-ＲＮＴＩ＃Ｘ及びＣ-ＲＮＴＩ＃Ｙが設定されており、Ｃ-ＲＮＴＩ＃ＸがＡｃｔｉｖｅ状態である（実際に使用されている）。
【００６６】
また、本変更例１に係る移動通信システムでは、移動局ＵＥ＃Ｂにおいて、Ｃ-ＲＮＴＩ＃Ｘ及びＣ-ＲＮＴＩ＃Ｚが設定されており、Ｃ-ＲＮＴＩ＃ＸがＡｃｔｉｖｅ状態である（実際に使用されている）。
【００６７】
図７（ａ）の状態では、移動局ＵＥ＃Ａと移動局ＵＥ＃Ｂとの間の距離が離れているので、移動局ＵＥ＃Ａ及び移動局ＵＥ＃Ｂで同一のＣ-ＲＮＴＩ＃Ｘが使用されていても移動局ＵＥ同士の衝突は発生しない。
【００６８】
その後、図７（ｂ）に示すように、移動局ＵＥ＃Ａと移動局ＵＥ＃Ｂとの間の距離が近づくと、移動局ＵＥ＃Ａ及び移動局ＵＥ＃Ｂの少なくとも一方は、自身に設定されているＣ-ＲＮＴＩ＃Ｘと同一のＣ-ＲＮＴＩ＃Ｘが設定されている移動局ＵＥ（例えば、移動局＃Ｂ）が存在すると判定し、上述の所定報告を行うように構成されている。
【００６９】
図７（ｃ）に示すように、無線基地局ＰｈＮＢ＃１は、かかる所定報告に応じて、移動局ＵＥ＃Ａ及び移動局ＵＥ＃Ｂに設定するＣ-ＲＮＴＩを変更するように構成されている。
【００７０】
図７（ｃ）の例では、無線基地局ＰｈＮＢ＃１は、移動局ＵＥ＃Ａに対して、設定されているＣ-ＲＮＴＩ＃Ｘ/＃Ｙのうち、Ｃ-ＲＮＴＩ＃Ｙを実際に使用するように指示し、移動局ＵＥ＃Ｂに対して、設定されているＣ-ＲＮＴＩ＃Ｘ/＃Ｚのうち、Ｃ-ＲＮＴＩ＃Ｚを実際に使用するように指示している。
【００７１】
以下、図８を参照して、本変更例１に係る移動通信システムの動作について説明する。
【００７２】
ステップＳ２００１において、無線基地局ＰｈＮＢ＃１は、移動局ＵＥ＃Ａに対して、所定報告の対象となるＣ-ＲＮＴＩのリストを通知する。
【００７３】
移動局ＵＥ＃Ａは、ステップＳ２００２において、他の移動局ＵＥから取得したＣ-ＲＮＴＩについて、移動局ＵＥ＃Ａに設定されているＣ-ＲＮＴＩ＃Ｘと衝突するＣ-ＲＮＴＩが存在することを検出した場合、ステップＳ２００３において、無線基地局ＰｈＮＢ＃１に対して、所定報告を行う。
【００７４】
ステップＳ２００４において、無線基地局ＰｈＮＢ＃１は、移動局ＵＥ＃Ａに対して、上述の衝突を回避させるために、移動局ＵＥ＃Ａに対して、設定されているＣ-ＲＮＴＩ＃Ｘ/＃Ｙのうち、Ｃ-ＲＮＴＩ＃Ｙを実際に使用するように指示する。
【００７５】
以上に述べた本実施形態の特徴は、以下のように表現されていてもよい。
【００７６】
本実施形態の第１の特徴は、移動局ＵＥ＃Ａであって、無線基地局ＰｈＮＢ＃１を介することなく、他の移動局ＵＥに設定されているＣ-ＲＮＴＩ（セル固有識別子）を取得するように構成されている受信部１１と、無線基地局ＰｈＮＢ＃１に対して、自身に設定されているＣ-ＲＮＴＩ＃Ｘと同一のＣ-ＲＮＴＩ＃Ｘが設定されている移動局ＵＥ（例えば、移動局＃Ｂ）が存在する場合、所定報告を行うように構成されている送信部１３とを具備することを要旨とする。
【００７７】
かかる構成によれば、無線基地局ＰｈＮＢ＃１は、かかる所定報告に応じて、同一のＣ-ＲＮＴＩが割り当てられている移動局ＵＥ間の距離が近づいたことを把握することができるため、無線基地局ＰｈＮＢの実装を複雑にすることなく、同一のＣ-ＲＮＴＩが割り当てられた移動局ＵＥ同士の衝突を回避することができる。
【００７８】
本実施形態の第１の特徴において、送信部１３は、自身に設定されているＣ-ＲＮＴＩ＃Ｘと同一のＣ-ＲＮＴＩ＃Ｘが設定されている他の移動局ＵＥのうち、所定閾値以上の受信レベルを有する移動局ＵＥ（例えば、移動局＃Ｂ）が存在する場合、上述の所定報告を行うように構成されていてもよい。
【００７９】
かかる構成によれば、同一のＣ-ＲＮＴＩが割り当てられた移動局ＵＥ同士の衝突に影響を与えない情報の送信を行わないため、上述の所定報告に係るオーバヘッドを低減することができる。
【００８０】
本実施形態の第１の特徴において、送信部１３は、無線基地局ＰｈＮＢ＃１によって指定されているＣ-ＲＮＴＩについてのみ、上述の所定報告の対象とするように構成されていてもよい。
【００８１】
かかる構成によれば、上述の所定報告に係るオーバヘッドを低減することができる。
【００８２】
本実施形態の第１の特徴において、送信部１３は、無線基地局ＰｈＮＢ＃１に対して、設定可能なＣ-ＲＮＴＩの数を送信するように構成されていてもよい。
【００８３】
かかる構成によれば、無線基地局ＰｈＮＢ＃１が、状況に応じて、各移動局ＵＥに対して設定すべきＣ-ＲＮＴＩの数を柔軟に変更することができる。
【００８４】
本実施形態の第１の特徴において、移動局ＵＥ＃Ａと無線基地局ＰｈＮＢ＃１との間で設定されているＣ-ＲＮＴＩが異なることが検出された場合、送信部１３は、再接続手順を起動するように構成されていてもよい。
【００８５】
かかる構成によれば、移動局ＵＥ＃Ａと無線基地局ＰｈＮＢ＃１との間で設定されているＣ-ＲＮＴＩが異なるため、データ送受信が行えなくなるという異常事態を解消することができる。
【００８６】
本実施形態の第２の特徴は、複数のスモールセルを連結して形成されたセル＃１（ファントムセル）を管理するように構成されている無線基地局ＰｈＮＢ＃１であって、セル＃１内の移動局ＵＥ＃Ａから、移動局ＵＥ＃Ａに設定されているＣ-ＲＮＴＩ＃Ｘと同一のＣ-ＲＮＴＩ＃Ｘが設定されている他の移動局ＵＥ（例えば、移動局ＵＥ＃Ｂ）が存在する旨を示す所定報告を取得するように構成されている受信部２１と、かかる所定報告に応じて、移動局ＵＥ＃Ａに設定されている複数のＣ-ＲＮＴＩ＃Ｘ/＃Ｙの１つを通知するように構成されている送信部２３とを具備することを要旨とする。
【００８７】
かかる構成によれば、移動局ＵＥに対して複数のＣ-ＲＮＴＩを設定することができる場合に、より柔軟に、同一のＣ-ＲＮＴＩが割り当てられた移動局ＵＥ同士の衝突を回避することができる。
【００８８】
本実施形態の第２の特徴において、移動局ＵＥ＃Ａと無線基地局ＰｈＮＢ＃１との間で設定されているＣ-ＲＮＴＩが異なることが検出された場合、送信部２３は、移動局ＵＥ＃Ａに対して、移動局ＵＥ＃Ａにおいて設定されているＣ-ＲＮＴＩ＃Ｘ/＃Ｙを解放し再設定するように指示してもよい。
【００８９】
かかる構成によれば、移動局ＵＥ＃Ａと無線基地局ＰｈＮＢ＃１との間で設定されているＣ-ＲＮＴＩが異なるため、データ送受信が行えなくなるという異常事態を解消することができる。
【００９０】
なお、上述の移動局ＵＥ＃Ａ/ＵＥ＃Ｂや無線基地局ＰｈＮＢ＃１の動作は、ハードウェアによって実施されてもよいし、プロセッサによって実行されるソフトウェアモジュールによって実施されてもよいし、両者の組み合わせによって実施されてもよい。
【００９１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ＃Ａ/ＵＥ＃Ｂや無線基地局ＰｈＮＢ＃１内に設けられていてもよい。また、かかる記憶媒体及びプロセッサは、ディスクリートコンポーネントとして移動局ＵＥ＃Ａ/ＵＥ＃Ｂや無線基地局ＰｈＮＢ＃１内に設けられていてもよい。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９４】
ＵＥ＃Ａ、ＵＥ＃Ｂ…移動局
ＰｈＮＢ＃１…無線基地局
１１、２１…受信部
１２…判定部
１３、２３…送信部
２２…設定部
【図１】
2014103634.tif 000003
【図２】
2014103634.tif 000004
【図３】
2014103634.tif 000005
【図４】
2014103634.tif 000006
【図５】
2014103634.tif 000007
【図６】
2014103634.tif 000008
【図７】
2014103634.tif 000009
【図８】
2014103634.tif 000010
【図９】
2014103634.tif 000011
【図１０】
2014103634.tif 000012
【図１１】
2014103634.tif 000013
【図１２】
2014103634.tif 000014